(57)【要約】      （修正有）【課題】水耕鉢内の水分の有無を簡単に見分け、水耕鉢内の水分を水耕鉢外に蒸散させる方法を提供する。【解決手段】毛管現象に優れた自水布１を帯状にして、水耕鉢２内の下部から上部まで伸ばし少し外に出し、自水布が湿ったり乾いたりすることを、目と指で簡単に見分けて水耕植物４を管理する。自水布１は、根から出る老廃物も毛管蒸発させて水質浄化をはかる。【選択図】図４
2006020616.tif 000002
【特許請求の範囲】
【請求項１】
水耕鉢の不透明なものや、ラッピングで鉢内の水が確認できてない場合、水耕鉢内に自水性の高い布を鉢内の下部から上部外部に少しだして、常に目で見える様にし、水耕鉢内の水分があることや、水分がないことを、自水布の色で見分けたり、指で触れて湿っているか乾いて水分が不足していることを常時手軽に確認することができ、水不足で植物を枯らすことがない。自水布の能力は水分を上部に２０ｃｍ以上引き上げられ、高さ２０ｃｍの鉢に利用できる。鉢の上部までラッピングなどで包んだ時でも、ラッピングに切り目をいれて、そこから自水布をラッピングの外部にだしておけば、常に水耕鉢内の水分不足が一目でわかる。また、指でつまんでワンタッチで確認できるので、便利で取り扱いがいたって簡単である。また鉢の上部内にだしておき、外部から見えなくても、時々指で確認することができる。自水布は水分のある間は常に鉢内の水分を外部へと蒸発させるので、鉢内の水質の浄化をはかることができる。水耕栽培でもっとも根圏を悪化させる、根から生理現象で出す悪性の酸、蟻酸、酢酸、蓚酸その他多くの酸類を自水布で吸いつけて、外部へと蒸散させ、鉢内の水質の浄化を助け、根圏の環境を良くし、植物が順調に成育できる。強酸を多く出す植物などには、自水布を幅広くしたり、数を増やすことで対応できる。自水布での鉢内の水質の浄化は、蒸散量が多いほど良好となるから、酸に弱い植物には、自水布の量を増やしてやればよい。今まで水耕に向かない、多くの植物でも栽培が可能となる。この水分確認法は、植物のひとつひとつの水分吸収率等が正確に良く解り、また同じ種類でも置く場所によって格差があるが、一鉢一鉢の管理が正確にできる。本発明はあらゆる水耕鉢に簡単に設置でき、経費も安く、便利で合理的な水耕鉢内貯水確認法。
【発明の詳細な説明】
【産業上の利用分野】
【０００１】  本発明は水耕鉢内の水分の有無を確認する手段として、不透明な水耕鉢やラッピングで化粧した水耕鉢内の水分を自水布で有無を確認する便利な仕組みで鉢内下部から鉢上部へと自水布を伸ばして、鉢外部に少し出し、水分を毛管現象で吸い上げる。自水布の色によって水分の有無を見分けたり、また指を触れて水分の有無を判断する方法で、主に水耕園芸植物の鉢に設置して水分の有無を確認して、水耕植物を順調に育成管理する。また、自水布の蒸散による水耕栽培鉢内の水質の浄化をはかり、根圏の環境を良好にして、栄養吸収を活発化する、水耕植物園芸産業に関する分野である。
【従来の技術及びその課題】
【０００２】  室内環境の視点から、ヨーロッパをはじめ先進国では、土鉢の植物を室内に持ち込むことは、衛生上悪いことから、禁止される傾向にあります。それは太陽光の紫外線が室内に入らないため２０℃〜２５℃の室温で土鉢内に悪性菌が異常に発生し人体に大きな悪い影響を与えることから、最近では水耕栽培の園芸植物が普及を始めており、おもにハイドロカルチャーが世界に普及しつつあります。その水分の有無を見分けるのにゲージを使用していますが、植物が繁茂してくるとゲージが見えず、水分の有無が見分けにくい。また最近は不透明な鉢が根によいことがら、透明な鉢は少なくなり、むしろラッピング化粧鉢が普及しており、鉢内の水分を有無を判断するのが困難になっており、枯れ死や衰弱のトラブルが多い。またヨーロッパ方式のハイドロカルチャーは、酸に強い植物に限られ、栽培品種が少なく、消費者にとっては物足りないのが現状です。これらの問題点を解決するために発明された水耕鉢内貯水確認法。
【本発明が解決しようとする課題】
【０００３】  室内に土植えの植物を置くことは悪性菌発生の問題で、世界各国が禁止の傾向にあり、一般にヨーロッパから普及したハイドロボール礫を利用したハイドロカルチャーが一般家庭やオフィス、ホテル、飲食店などの室内に置かれて鑑賞されているが、単独の水耕で水流がないので、植物の出す酸、蟻酸、酢酸、蓚酸などの強い酸によって根圏が悪化する。よって丈夫な観葉植物の代表的な品種、ドラセナ類、フィロデンドロン類を中心にごく限られた品種であり、バラエティーに欠けている。また水耕鉢は水の管理が重要で鉢内の水の有無がわかることが絶対に必要ですが、現在のものはゲージで植物がしげってくると、見えなくなり、枯れ死や衰弱が多い。本発明はこれらの問題を解決するために水耕鉢の下部内から上部まで自水布を伸ばして、外部に少しだけ出し、自水布の色によって水分の有無を見分けたり、指で触れて水分の有無を判断する。非常に簡単に見分けがつくので植物を枯らしたり、衰弱させることはない。水耕鉢の透明は植物の根の生育に悪いので不透明な鉢が多くなってきている。美しく化粧するラッピングも鉢内の水分を見分けられない。本発明は不透明鉢やラッピング鉢の外部に自水布を少しだしておくだけで、水分の有無を目や指で確かめることができる。また水耕鉢内の酸を自水布が吸着して外気に蒸散させるから水耕鉢内の根圏が良い環境となり成育を助ける。それによって酸に弱い多くの品種の植物が水耕で楽しめる。水耕鉢の水分の有無の見分けと、根圏の酸の排除が、本発明の解決しようとする課題である。
【問題点を解決するための手段】
【０００４】  上記の課題を解決するためには、図３に示すように、１の自水布を２の水耕鉢内に設置して、図４のように４の植物を水耕鉢内に固定して、５の水を水耕鉢の３分の１まで入れて管理する。水量は図３の３の空気穴まで入れることができる。水耕鉢の２分の１ですがこれ以上は入らないようにし、酸素の供給をはかり、根の活発化を促進して良好に育つ。図５は水耕鉢を７化粧布でラッピングして水の有無を８指先で確認している。様々なラッピングや、水耕鉢でも自水布を設置すれば、常に水分の見分けがつき植物の衰弱や枯れ死は無い。また自水布は常に水耕鉢内の水を蒸発させているので多くの酸や老廃物その他を一緒に外部に蒸散させて鉢内の水質浄化をはかる。上記課題を解決し、植物を健康に育てるための手段である。
【作用】
【０００５】  室内に土植えの植物を置くことは、世界各国で禁止の傾向にある理由は、太陽光の紫外線が入らないので悪性菌の殺菌ができず、また室内２０℃〜２５℃の温度は細菌が一番繁殖しやすい。そして土には適度の湿りがあり、悪性菌が繁殖する絶好の場所である。人類の文明の発展は殺菌につきる。それによって脳が発達し寿命ものびた。ほかのサルや犬などは食べ物を洗ったり、焼いたり、煮たり、塩漬けや酢漬けにしたりできないから菌におかされてしまう。人は体を洗い、靴下をはき、下着や衣服をつけ、室内は床上げにして、すべて細菌から身を守っていますが、ただ現在室内に細菌が宿り繁殖する土植えの植物が、人の健康を害しています。美しいはずの花や緑の鉢の中にはコップ一杯の土の中に平均数十億の菌が宿っていて、その中には人を一日で死なせるサルモネラ菌等もある。これらの点から土を使用していない、水耕の植物が普及しています。現在ヨーロッパを中心に世界中で普及しているハイドロカルチャーがあるが水の管理が困難であり、多品種の植物を育てることができない。本発明は水の管理が様々な鉢でも簡単にでき、また多くの品種の植物を良好に育てることの作用がある。
【実施例】
【０００６】  以下、図面を参照して本発明の、水耕鉢内貯水確認法を使用した実施例を説明すると、図１の１は自水布で上部に２０センチ以上水を引きあげる能力がある。図２の２は水耕鉢で３は空気孔で、鉢の上下中心の位置にあり、酸素を補給することと水のオーバーホールの役割をする。図４の４は植物で水耕栽培のものを、２の水耕鉢に植え込んだ一部断斜視図で、１の自水布を鉢内の下部と２の水耕鉢上部、外部に図４のように出して置き、常に目で水分の有無を見分けられる。１の自水布は２の水耕鉢内の水位より下部になると５の水を２の水耕鉢外に引き上げて吸い出すので、水耕鉢上部外部に少しだしておく。６の根から多くの老廃物を放出しますが、１の自水布吸着した毛管現象によって常に引き上げられて、水耕鉢内の水質を浄化し、根圏を良好にする。図５は２の水耕鉢を化粧ラッピングし植物の鑑賞価値をあげる。７のラッピングの外部に１の自水布を出して、目で水分の有無を常に見られるようになっている。また、１の自水布を８の手の指先で触れて水分の有無を確認することができる。本発明は水耕鉢内の水分の有無を簡単に見分けるとともに悪性酸や様々な老廃物を除去し、水耕植物が順調に生育する。よって本発明は、室内環境に役立つ花や緑を清潔のもとで観賞することができる。なお、本発明の素材は、不織布、布紙、プラスチック、ウレタン、金属、ガラス、セラミック、スチロール、木、竹、焼物、陶磁器である。
【発明の効果】
【０００７】  本発明は、以上説明したように、水耕植物が益々普及するなか、水耕植物の水管理を簡単な方法で行え、従来の方法より、的確で設置費用も安価であり、また、水耕鉢内の水質の浄化能力が非常に高い。これによって植物の生育や寿命が数倍良くなる。またあらゆる鉢に設置できるので植物の鑑賞が幅広くバラエティーになり、経済効果にもなる。自水布は毛管現象によって水分を上部に引き上げて空中に蒸散しますから、室内に適度の湿度を保てます。湿度の調整は水耕鉢の植物を部屋の広さによって数を決めることができます。植物の気孔からの蒸散は、マイナスイオン効果が高く、炭酸ガスやホルムアルデヒドその他の悪性ガスを取り込み、室内を浄化する効果がある。
【図面の簡単な説明】
【図１】本発明の自水布斜視図
【図２】本発明の水耕鉢斜視図
【図３】本発明の自水布を水耕鉢に設置した斜視図
【図４】本発明の植物設置一部断面斜視図
【図５】本発明のラッピングと指付け斜視図
【符号の説明】
１．  自水布
２．  水耕鉢
３．  空気孔
４．  水耕植物
５．  水
６．  根
７．  ラッピング布
【図１】
2006020616.tif 000003
【図２】
2006020616.tif 000004
【図３】
2006020616.tif 000005
【図４】
2006020616.tif 000006
【図５】
2006020616.tif 000007